(57)【要約】【課題】１００％パーム油をバイオディーゼル発電用の燃料として経済的に利用することができる新規なバイオディーゼル発電装置およびその運転方法の提供。【解決手段】ディーゼルエンジン１０が始動してその冷却水の温度が所定温度に達したならば、その冷却水を熱交換器に流してタンク内のパーム油を、その動粘度が液体化石燃料と同等程度になるまで加熱して、そのパーム油を液体化石燃料に代えてディーゼルエンジン１０の燃料として供給する。これによって、ほぼ１００％パーム油を液体化石燃料に代えてそのままバイオディーゼル燃料として利用することができると共に、エンジンの排熱を利用して加熱するため、パーム油を加熱のための電力コストを大幅に削減できる。【選択図】図１
2017137842.tif 000002
【特許請求の範囲】
【請求項１】
液体化石燃料で駆動するディーゼルエンジンと、当該ディーゼルエンジンの動力で発電する発電機とを備えたディーゼル発電装置であって、
ほぼ１００％のパーム油を貯留するタンクと、当該タンク内のパーム油を加熱してその動粘度を液体化石燃料と同等程度まで低下させるヒーターと、前記ディーゼルエンジンの排熱を利用して前記タンク内のパーム油を加熱する熱交換器と、前記タンク内のパーム油を前記液体化石燃料に代えて前記ディーゼルエンジンに供給する燃料切換部とを備えたことを特徴とするバイオディーゼル発電装置。
【請求項２】
請求項１に記載のバイオディーゼル発電装置において、
前記熱交換器は、前記ディーゼルエンジンの冷却水または燃焼排ガスの一方あるいは両方を熱媒体として前記タンク内のパーム油を加熱することを特徴とするバイオディーゼル発電装置。
【請求項３】
請求項１または２に記載のバイオディーゼル発電装置において、
前記ヒーターおよび熱交換器は、前記タンク内のパーム油を７０℃以上に加熱して前記ディーゼルエンジンに供給することを特徴とするバイオディーゼル発電装置。
【請求項４】
請求項１乃至３のいずれかに記載のバイオディーゼル発電装置において、
前記液体化石燃料内にエンジン清浄剤が含まれていることを特徴とするバイオディーゼル発電装置。
【請求項５】
請求項１に記載のバイオディーゼル発電装置の運転方法であって、
前記ディーゼルエンジンが始動してその冷却水の温度が所定温度に達したならば、当該冷却水を前記熱交換器に流して前記タンク内のパーム油を、その動粘度が液体化石燃料と同等程度になるまで加熱すると共に、前記ヒーターによるタンク内のパーム油の加熱を停止またはその加熱量を減少し、その後、前記タンク内のパーム油を前記液体化石燃料に代えて、または前記タンク内のパーム油と共に前記ディーゼルエンジンの燃料として供給することを特徴とするバイオディーゼル発電装置の運転方法。  
【請求項６】
請求項５に記載のバイオディーゼル発電装置の運転方法であって、
前記タンク内のパーム油を前記液体化石燃料に代えて前記ディーゼルエンジンの燃料として供給して運転した後、所定時間経過したならば、前記パーム油に代えて、エンジン清浄剤を添加した液体化石燃料を前記ディーゼルエンジンの燃料として供給して所定時間運転することを特徴とするバイオディーゼル発電装置の運転方法。
【発明の詳細な説明】
【技術分野】
【０００１】
本発明はバイオディーゼル燃料として１００％パーム油を使用できるバイオディーゼル発電装置およびその運転方法に関する。
【背景技術】
【０００２】
一般にバイオディーゼル燃料は、植物油にメタノールを加えエステル交換反応によってグリセリンを取り除いて燃料化したものであり、軽油や重油などの液体化石燃料の代替燃料として主にディーゼルエンジンに使用可能である。良質のバイオディーゼル燃料は、ＣＯ２削減効果だけでなく、硫黄などの大気汚染物質が少ないクリーンな燃料であり、しかも液体化石燃料と同等の燃費やエンジン性能を発揮できることが知られている。
【０００３】
一方、アブラヤシから得られるパーム油は、食用油やマーガリン、ショートニング、石鹸の原料として利用される他に、近年ではバイオディーゼル燃料としての利用も進められている。例えば、以下の特許文献１ではパーム油などの植物由来油（バイオマス油）と廃食油を混合し、さらにアルコールおよび灯油を混合して６０重量％以下にしたものをディーゼルエンジンの燃料として用いる技術が提案されている。また、以下の特許文献２ではパーム油などの植物油のエステル類を分解すると共に不要な化合物を除去したものをディーゼルエンジンやタービンの燃料として用いる技術が提案されている。
【先行技術文献】
【特許文献】
【０００４】
【特許文献１】特開２００８−２３９７５１号公報
【特許文献２】特表２００９−５４２８５１号公報
【発明の概要】
【発明が解決しようとする課題】
【０００５】
ところで、本発明者は植物油の中でも生産量が多く、かつ比較的安価なパーム油を従来の化石燃料に代えてそのままディーゼル発電用のバイオディーゼル燃料として商業的に利用することを検討している。しかしながら、パーム油は植物油の中でも融点が高く、日本のような比較的寒冷な土地では常温で固形化してしまうことから、そのままではディーゼルエンジンの燃料として用いることが難しい。
【０００６】
そのため、前記特許文献１や２のようにパーム油にアルコールや灯油を混合したり、エステル類を分解する等の処理を行う必要があるが、そうすると燃料コストが高くなってしまい、ディーゼル発電用の燃料として用いると採算がとれなくなってしまうといった問題がある。
【０００７】
そこで、本発明はこれらの課題を解決するために案出されたものであり、その目的はほぼ１００％パーム油をそのままバイオディーゼル燃料として経済的に利用することができる新規なバイオディーゼル発電装置およびその運転方法を提供するものである。
【課題を解決するための手段】
【０００８】
前記課題を解決するために第１の発明は、液体化石燃料で駆動するディーゼルエンジンと、当該ディーゼルエンジンの動力で発電する発電機とを備えたディーゼル発電装置であって、ほぼ１００％のパーム油を貯留するタンクと、当該タンク内のパーム油を加熱してその動粘度を液体化石燃料と同等程度まで低下させるヒーターと、前記ディーゼルエンジンの排熱を利用して前記タンク内のパーム油を加熱する熱交換器と、前記タンク内のパーム油を前記液体化石燃料に代えて前記ディーゼルエンジンに供給するパーム油供給部とを備えたことを特徴とするバイオディーゼル発電装置である。
【０００９】
このような構成によれば、タンク内のパーム油を加熱してその動粘度を液体化石燃料と同等程度まで低下させることでほぼ１００％パーム油を液体化石燃料に代えてそのままバイオディーゼル燃料として利用することができる。また、タンク内のパーム油をヒーターと共に、エンジンの排熱を利用して加熱するため、パーム油を加熱のための電力コストを大幅に削減できる。
【００１０】
第２の発明は、第１の発明において、前記熱交換器は、前記ディーゼルエンジンの冷却水または燃焼排ガスの一方あるいは両方を熱媒体として前記タンク内のパーム油を加熱することを特徴とするバイオディーゼル発電装置である。このような構成によれば、従来そのまま大気中に捨てられていた冷却水または燃焼排ガスに含まれる熱をタンク内のパーム油の加熱源として有効利用できる。
【００１１】
第３の発明は、第１または第２の発明において、前記ヒーターおよび熱交換器は、前記タンク内のパーム油を７０℃以上に加熱して前記ディーゼルエンジンに供給することを特徴とするバイオディーゼル発電装置である。パーム油とＡ重油などの液体化石燃料を比較した場合、その発熱量や比重はほぼ同じであるが、常温における動粘度はパーム油のほうが圧倒的に高い。しかし、後に詳述するがこのように動粘度が高いパーム油であってもその温度が７０℃を超えるとその動粘度は一気に低下し、Ａ重油とほぼ同じになる。従って、このようにパーム油を７０℃以上に加熱することにより、Ａ重油と同じようにスムーズにパーム油をディーゼルエンジンに供給してＡ重油の代替燃料として用いることができる。
【００１２】
第４の発明は、第１乃至第３の発明において、前記液体化石燃料内にエンジン清浄剤が含まれていることを特徴とするバイオディーゼル発電装置である。このように構成すれば、１００％パーム油を燃料として使用することによってエンジンに不純物が付着、堆積したときには、次に液体化石燃料を用いて運転する際に、その付着、堆積した不純物を除去してエンジンを清浄化できる。
【００１３】
第５の発明は、第１の発明に係るディーゼル発電装置の運転方法であって、前記ディーゼルエンジンが始動してその冷却水の温度が所定温度に達したならば、当該冷却水を前記熱交換器に流して前記タンク内のパーム油を、その動粘度が液体化石燃料と同等程度になるまで加熱すると共に、前記ヒーターによるタンク内のパーム油の加熱を停止またはその加熱量を減少し、その後、前記タンク内のパーム油を前記液体化石燃料に代えて、または前記タンク内のパーム油と共に前記ディーゼルエンジンの燃料として供給することを特徴とするバイオディーゼル発電装置の運転方法である。このような運転方法によれば、第１の発明の効果に加えて、エンジン始動からパーム油への切換までをスムーズに行うことができる。
【００１４】
第６の発明は、第５の発明において、前記タンク内のパーム油を前記液体化石燃料に代えて前記ディーゼルエンジンの燃料として供給して運転した後、所定時間経過したならば、前記パーム油に代えて、清浄剤を添加した液体化石燃料を前記ディーゼルエンジンの燃料として供給して所定時間運転することを特徴とするバイオディーゼル発電装置の運転方法である。このような運転方法によれば、運転と同時に噴射ノズルや燃焼室内に付着したカーボンを除去することができる。これによって、エンジン不調や故障を回避して安定的な運転ができるだけでなく、エンジンを停止させたメンテナンスが不要またはその頻度が大幅に減少するため、発電効率が大幅に向上する。
【発明の効果】
【００１５】
本発明によれば、ほぼ１００％のパーム油を加熱してその動粘度を液体化石燃料と同等程度まで低下させることでディーゼルエンジンの燃料として軽油や重油のような通常の液体化石燃料の代わりとして用いることができる。また、タンク内のパーム油をヒーターと共にエンジンの排熱を利用して加熱するため、パーム油の加熱のための電力コストを大幅に削減できる。
【図面の簡単な説明】
【００１６】
【図１】本発明に係るバイオディーゼル発電装置１００の実施の一形態を示す全体構成図である。
【図２】パーム油とＡ重油との性状を比較した表図である。
【図３】パーム油の精製工程の流れを示すフローチャート図である。
【図４】本発明に係るバイオディーゼル発電装置１００の運転方法の流れを示すフローチャート図である。
【図５】本発明に係るバイオディーゼル発電装置１００の他の実施形態を示す全体構成図である。
【発明を実施するための形態】
【００１７】
以下、本発明の実施の形態を添付図面を参照しながら説明する。図１は本発明に係るバイオディーゼル発電装置１００の実施の一形態を示したものである。図示するようにこのバイオディーゼル発電装置１００は、ディーゼルエンジン１０と、このディーゼルエンジン１０の動力で発電する発電機２０と、このディーゼルエンジン１０にほぼ１００％パーム油を供給するパーム油供給部３０と、これらを制御する制御部４０とから主に構成されている。
【００１８】
先ずディーゼルエンジン１０は、例えばコモンレール式燃料噴射システムを用いた汎用の発電用エンジンであり、Ａ重油や軽油などの液体化石燃料を用いて駆動するようになっている。このディーゼルエンジン１０は、複数のピストン１２が往復動するエンジンブロック１１内に冷却水路１３が形成されており、ウォーターポンプ１４によってこの冷却水路１３に冷却水を流してエンジンブロック１１を冷却すると共に、高温となった冷却水をラジエータ１５で冷却して循環させるようになっている。なお、このラジエータ１５は、ディーゼルエンジン１０で駆動されるファン１６によって空冷されると共に、このラジエータ１５と冷却水路１３とはアッパーホース１５ａおよびロアホース１５ｂで連通されている。
【００１９】
このエンジンブロック１１の排気側には、エギゾーストマニホール１７およびマフラー１８が設けられており、運転に伴う排気音を消音すると共に排気ガスを清浄化して大気中に排気するようになっている。また、このエンジンブロック１１には、噴射ポンプ１９が設けられており、燃料タンク１９ａ内に溜められた液体化石燃料（Ａ重油）を抜き出してエンジン側に供給するようになっている。
【００２０】
次に発電機２０は、ディーゼルエンジン１０の出力軸１０ａに連結されたオルタネータまたはジェネレータであり、従来公知のものをそのまま適用することができる。そして、この発電機２０で発電された電気は、図示しない変圧器によって所定電圧に昇圧（例えば４００Ｖから６６００Ｖ）された後、外部に供給されて商業的に利用されるようになっている。
【００２１】
パーム油供給部３０は、パーム油タンク３１と、このパーム油タンク３１内に設けられたヒーター３２および熱交換器３３と、燃料切換部３４とから構成されている。パーム油タンク３１は、ほぼ１００％のパーム油を一時的に貯留するものであり、貯留したパーム油をパーム油ラインＬ１を介して噴射ポンプ１９に送り、ディーゼルエンジン１０の燃料として供給するようになっている。なお、このパーム油ラインＬ１の入口側にはパーム油中に含まれている固形物を濾過するためのフィルターＦが設けられている。また、このパーム油タンク３１には、給油ラインＬ４が設けられており、この給油ラインＬ４から適宜パーム油が導入されるようになっている。なお、この給油ラインＬ４には、これを開閉するためのバルブＶ３が設けられている。
【００２２】
ヒーター３２は、このパーム油タンク３１内の底部に設けられており、貯留されているパーム油を加熱してその動粘度を低下させるようになっている。なお、このヒーター３２は電熱ヒーターなどから構成されており、そのオン、オフ制御や出力制御などは後述する制御部４０によって集中制御されている。
【００２３】
熱交換器３３はその出入り口がそれぞれ冷却水路１３から分岐した分岐ラインＬ２と、冷却水路１３に合流する合流ラインＬ３とに接続されており、エンジンブロック１１の冷却水路１３内を流れる高温の冷却水を抜き出して通過させ、その熱によってパーム油タンク３１内のパーム油を加熱するようになっている。この分岐ラインＬ２および合流ラインＬ３には、それぞれのラインを開閉するためのバルブＶ１、Ｖ２が設けられており、これら各バルブＶ１、Ｖ２も後述する制御部４０によって制御されている。また、この分岐ラインＬ２には冷却水タンク３５が接続されており、冷却水路１３から分岐ラインＬ２に流れる冷却水を補給するようになっている。
【００２４】
燃料切換部３４は、同じく後述する制御部４０で制御される３方弁（電磁バルブ）で構成されており、燃料タンク１９ａから供給されるＡ重油に代えてパーム油タンク３１内のパーム油をディーゼルエンジン１０に供給すると共に、その反対にパーム油からＡ重油に切り換えることができるようになっている。
【００２５】
制御部４０は、図示しない制御機器と操作盤とから構成されており、ディーゼルエンジン１０の起動や停止、運転などの制御の他に、各ラインＬ２，Ｌ３、Ｌ４に設けられたバルブＶ１，Ｖ２，Ｖ３の開閉制御およびヒーター３２の温度制御などを図示しない温度センサーやレベルセンサー、流量センサーなどの各種センサーの検出値に基づいて手動または自動的に制御するようになっている。この制御部４０による具体的な制御方法については以下に詳述する。
【００２６】
次に、このような構成をした本発明に係るバイオディーゼル発電装置１００の運転方法について説明する。先ず、原料となるほぼ１００％パーム油は、保温設備の整ったタンクローリーなどによって液体のまま運ばれてきてその給油ラインＬ４からパーム油タンク３１内に送られて溜められる。このパーム油タンク３１内には上述したようにヒーター３２が設けられているため、そのパーム油の油温を下げることなく、少なくともその融点（凝固点：３５〜４５℃に）以上の温度に維持して保温する。これによって寒冷地や寒冷期であってもパーム油タンク３１内のパーム油は凝固することなく、液体の状態を保ったままで貯留することができる。
【００２７】
図３は、本発明装置の燃料として用いることができる１００％パーム油の精製工程の流れの一例を示したものである。一般に、アブラヤシの果房（Fresh palm fruit bunch）には直径数ｃｍの小粒の果実が数百個ついており、先ず、これを飽和水蒸気で約１時間程度蒸して果房を機械で叩き、果房から果実(Fruit)を剥離する。果実がとられた殻果房（茎の部分：Empty bunches）は、ボイラーの燃料などとして焼却処分される。
【００２８】
次に、剥離した果実を蒸気で約１００℃程度まで加熱しながら攪拌してどろどろの液体にした後、スクリューで圧力をかけて油を搾る（圧搾）。この処理で果実は粗製パーム油（ＣＰＯ：Crude palm oil）と繊維とに分かれる。この繊維と実（種）のかたまりはケーキ（Cake）と呼ばれる。その後、この圧搾工程で搾り取られた粗製ＣＰＯに水を加えて粘度を低くしてから加熱・静置した後、遠心分離器にかけて水分や余分な成分（スラッジ）を除去して乾燥する。この精製工程によって精製された精製パーム油（精製ＣＰＯ：Pure palm oil）がオレオケミカルズとしてパーム油精製工場に送られる。
【００２９】
一方、繊維と実（種）のかたまりであるケーキは、その後、実（Nut）と繊維（Fiber）に分離され、実はさらにミキサで粉砕されて核（Kernel）と皮（Shell）に分かれ、皮（Shell）と繊維（Fiber）は、殻果房と同様にボイラーの燃料などとして焼却処分される。その後、核（Kernel）を圧搾（加圧）して粗製ＫＰＯ（Crude palm kernel oil）と食用パーム核（Palm kernrl meal）に分離し、粗製ＫＰＯを遠心分離器にかけて水分や余分な成分（スラッジ）を除去して乾燥する。この精製工程によって精製された精製パーム油（精製ＫＰＯ：Pure palm kernel oil）は精製ＣＰＯと同様にオレオケミカルズとしてパーム油精製工場に送られる。そして、本発明では、このようにして精製された１００パーム油（精製ＣＰＯ、精製ＫＰＯ）をそのまま用いることができるが、その前段階の粗製ＣＰＯおよび粗製ＫＰＯを用いることもできる。
【００３０】
図２は、このようにして得られた１００％パーム油の性状を一般的な液体化石燃料の１つであるＡ重油と比較したものである。図示するように１００％パーム油の発熱量は、８８４０ｋｃａｌであって、Ａ重油（９２９３ｋｃａｌ）とほぼ同じ発熱量を有している。また、比重も０．９２１−０．９４８であり、Ａ重油（０．８−０．９６）とほぼ同じ値となっている。一方、１００％パーム油の動粘度は、常温（２０℃）では、６３．６mm２／ｓであり、Ａ重油（４．８mm２／ｓ）の１０倍以上の高い値となっている。このため、１００％パーム油は、常温では凝固した状態となっており、そのままではディーゼルエンジンの燃料として用いることができない。
【００３１】
ところが、同図に示すようにこの１００％パーム油を７０℃に加熱すると、１６．１５mm２／ｓまで低下することが分かった。そして、ディーゼルエンジンの燃料として用いることができるＡ重油の動粘度の既定値は、２０．０mm２／ｓ以下であることから、１００％パーム油であってもこれを７０℃以上に加熱すれば、その動粘度がＡ重油の既定値を下回ることからディーゼルエンジンの燃料としてＡ重油の代替燃料として利用可能であることがわかった。しかも、その発熱量や比重はＡ重油とほぼ同程度であることから、エンジン出力もＡ重油を用いた場合と何ら遜色ないことが分かる。
【００３２】
図４は、本発明に係るバイオディーゼル発電装置１００の運転方法の流れの一例を示したフローチャート図である。本発明装置１００の制御部４０は先ず最初のステップＳ１００において燃料タンク１９ａ内に溜められたＡ重油を燃料としてディーゼルエンジン１０を始動する。これによって発電機２０が駆動して発電が連続的に行われる。次のステップＳ１０２では、そのエンジンブロック１１内を流れる冷却水の温度を計測し、その温度が所定温度、例えば８０℃以上になったか否かを判断する。なお、この冷却水の温度は、図１に示すようにそのエンジンブロック１１に設けられた温度センサー１１ａによって常時計測され、その計測値は随時制御部４０に入力されている。
【００３３】
このステップＳ１０２においてその水温が設定水温に達していなければ（ＮＯ）、そのまま運転を継続するが、設定水温に達したとき（ＹＥＳ）は、そのまま次のステップＳ１０４に移行する。ステップＳ１０４ではエンジンブロック１１内を流れる冷却水をパーム油タンク３１内の熱交換器３３を通過するように循環させる。具体的には、分岐ラインＬ２のバルブＶ１と合流ラインＬ３のバルブＶ２を同時に開いてエンジンブロック１１内を流れる高温の冷却水を分岐ラインＬ２を介して熱交換器３３側に流す。これによって、パーム油タンク３１内のパーム油は、ヒーター３２と共にその熱交換器３３を流れる高温の冷却水によって加熱されてその温度が徐々に上昇する。なお、この熱交換器３３側に流れた冷却水は合流ラインＬ３を通過してエンジンブロック１１（アッパーホース１５ａ）側に流れ、その後ラジエータ１５でさらに冷却されてエンジンブロック１１に循環される。
【００３４】
このようにして高温の冷却水をパーム油タンク３１側に流したならば、次のステップＳ１０６においてそのパーム油タンク３１内のパーム油の温度が７０℃以上、すなわちその動粘度がＡ重油（液体化石燃料）と同等程度まで低下する温度に達したか否かを判断し、達していないとき（ＮＯ）はそのまま引き続き加熱するが、達したとき（ＹＥＳ）は次のステップＳ１０８に移行する。ステップＳ１０８では、制御部４０が切換弁３４を操作して燃料の供給ラインを燃料ラインＬ５からパーム油ラインＬ１に切り換える。これによって、パーム油タンク３１内のパーム油が噴射ポンプ１９に供給されてエンジン１０のシリンダ内に噴射されて燃料として利用されることになる。
【００３５】
このときのパーム油は、その動粘度がＡ重油と同等程度まで低下しているため、パーム油ラインＬ１はもちろん、噴射ポンプ１９や噴射ノズル（図示せず）などに詰まったりすることなく、Ａ重油と同様に良質な燃料として用いることができる。しかも、パーム油などの植物性油脂は、多くの酸素を含むことから燃焼温度がＡ重油よりも高くなるため、より高い出力を発揮することができる。
【００３６】
このようにしてそのパーム油タンク３１内のパーム油の温度が設定温度以上になったならば、その後熱交換器３３に連続して流れ込む高温の冷却水の熱によってパーム油タンク３１内のパーム油が加熱され続けるため、制御部４０は次のステップＳ１１０に移行してヒーター３２を停止する。これによってヒーター３２を稼働（通電）させるための電力を省くことが可能となり、省エネルギーを達成できる。なお、このときヒーター３２を完全に停止しても良いが、高温の冷却水の熱だけではパーム油の温度を設定温度以上に保持できない場合には、その出力を下げるなどして引き続きヒーター３２による加熱を継続させても良い。
【００３７】
そして、制御部４０は次のステップＳ１１２に移行してディーゼルエンジン１０が停止したか否かを判断し、停止していないとき（ＮＯ）は、引き続きそのままの状態を継続するが、停止したときあるいは間もなく停止するとき（ＹＥＳ）は、ヒーター３２を稼働させた後、次のステップＳ１１８に移行し、切換弁３４を操作して燃料をパーム油からＡ重油に切り換えて処理を終了する。これによって、次に稼働するときには低温でも凝固のおそれがないＡ重油を燃料として用いることかできる。また、ヒーター３２を再稼働させることで熱交換器３３への高温の冷却水の流れが停止してもパーム油タンク３１内のパーム油がその凝固点以下に下がるようなことはなくなり、内部で固化するようなことはない。さらに、このＡ重油中に予めエンジン洗浄剤を混入しておけば、パーム油を燃料として運転することよってシリンダやピストン廻りに不純物が付着、堆積した場合には、次の運転開始と同時にこれらの不純物を除去することもできる。
【００３８】
そして、最後のステップＳ１２０では、エンジンが停止した後、しばらくの間はエンジン冷却のためのウィーターポンプ１４が稼働するが、所定時間経過してエンジンの温度が低下したならばウィーターポンプ１４停止して冷却水の循環を停止して処理を終了する。
【００３９】
このように本発明に係るバイオディーゼル発電装置１００は、常温では固形又はシャーベット状となっている１００％パーム油をその動粘度が液体化石燃料と同程度になるまで加熱することで液体化石燃料の代替燃料としてディーゼルエンジン１０に用いることができると共に、そのディーゼルエンジン１０の運転に伴って発生する高温の冷却水の熱を利用してパーム油を加熱するようにしたため、消費電力を少なく抑えることができ、優れたエネルギー効率を発揮できる（コジェネレーション：cogeneration）。
【００４０】
また、燃料として１００％パーム油と液体化石燃料（Ａ重油）とを切り換えて用いることができるため、１００％パーム油による運転が一定時間経過したならば、エンジン清浄剤入りの液体化石燃料（Ａ重油）に切り換えて一定時間運転するといった方法を繰り返せば、前述したように１００％パーム油を燃料として使用したときに発生しうる不都合を未然に回避することができる。
【００４１】
すなわち、１００％パーム油を燃料として長時間連続して運転するとパーム油の高い動粘度故に噴射ノズルの先端などに液だれしたガム状物質が付着して噴射状態の悪化を招き、生成したカーボンが燃焼室内やピストンリングに堆積してエンジン不調やエンジン破損などを招くことが考えられる。そこで、所定時間経過後、例えば連続運転が１２０時間程度経過したならば、１００％パーム油からエンジン清浄剤入りの液体化石燃料に切り換えて運転を継続すれば、上述したような不都合を未然に回避することができる。
【００４２】
また、本実施の形態では、エンジンで発生する熱源としてエンジンブロック１１を冷却するための高温となった冷却水を用いるようにしたが、図５に示すように冷却水と共にあるいは冷却水に代えて燃焼排ガスの熱を用いるようにしても良い。すなわち、図５に示すように排気ガスの流路に熱回収用の熱交換器５０を設けると共に、パーム油タンク３１にも新たな熱交換器５１を収容し、それらの間を熱媒体（冷却水）を循環するための循環ラインＬ６，Ｌ７およびバルブＶ４，Ｖ５で接続すれば、熱交換器５０で吸収された排ガス中の熱が循環ラインＬ６，Ｌ７を介して熱交換器５１からパーム油タンク３１内に回収されるため、より効率的にエンジン排熱を利用することが可能となる。
【００４３】
なお、本発明で用いることができるエンジン清浄剤としては特に限定されるものでなく、ポリエーテルアミン（ＰＥＡ）やアルコール、研磨剤などを含む市販のものをそのまま用いることができる。また、本発明装置で使用可能なパーム油中には予め所定量の酸化防止剤を添加して燃料の酸化を防止するようにしても良い。この酸化防止剤としては、通常のバイオディーゼル燃料に適用されているもの、例えばブチル・ハイドロオキシル・トルエン（ＢＨＴ）、ターシャルブチル・ハイドロキノン（ＴＢＨＱ）、その他ＢＨＡ、ＰＧなどの化学合成されたビタミンＥ類似化合物などを使用することができる。
【符号の説明】
【００４４】
１００…バイオディーゼル発電装置
１０…ディーゼルエンジン
１１…エンジンブロック
１３…冷却水路
１４…ウォーターポンプ
１５…ラジエータ
１９…燃料噴射ポンプ
２０…発電機
３０…パーム油供給部
３１…パーム油タンク
３２…タンク
３３、５０、５１…熱交換器
４０…制御部
Ｌ１…パーム油ライン
Ｌ２…分岐ライン
Ｌ３…合流ライン
Ｌ４…給油ライン
Ｌ５…燃料ライン
Ｌ６，Ｌ７…循環ライン
Ｖ１〜Ｖ５…電磁バルブ
【図１】
2017137842.tif 000003
【図２】
2017137842.tif 000004
【図３】
2017137842.tif 000005
【図４】
2017137842.tif 000006
【図５】
2017137842.tif 000007
【手続補正書】
【提出日】平成28年12月16日(2016.12.16)
【手続補正１】
【補正対象書類名】特許請求の範囲
【補正対象項目名】全文
【補正方法】変更
【補正の内容】
【特許請求の範囲】
【請求項１】
液体化石燃料で駆動するディーゼルエンジンと、当該ディーゼルエンジンの動力で発電する発電機と、ほぼ１００％のパーム油を貯留するタンクと、当該タンク内のパーム油を加熱するヒーターと、前記ディーゼルエンジンの排熱を利用して前記タンク内のパーム油を加熱する熱交換器と、前記タンク内のパーム油を前記液体化石燃料に代えて前記ディーゼルエンジンに供給する燃料切換部とを備えたバイオディーゼル発電装置の運転方法であって、
前記ディーゼルエンジンが始動してその冷却水の温度が所定温度に達したならば、当該冷却水を前記熱交換器に流して前記タンク内のパーム油を、その動粘度が液体化石燃料と同等程度になるまで加熱すると共に、前記ヒーターによるタンク内のパーム油の加熱を停止またはその加熱量を減少し、その後、前記タンク内のパーム油を前記液体化石燃料に代えて、または前記タンク内のパーム油と共に前記ディーゼルエンジンの燃料として供給することを特徴とするバイオディーゼル発電装置の運転方法。  
【請求項２】
請求項１に記載のバイオディーゼル発電装置の運転方法であって、
前記タンク内のパーム油を前記液体化石燃料に代えて前記ディーゼルエンジンの燃料として供給して運転した後、所定時間経過したならば、前記パーム油に代えて、エンジン清浄剤を添加した液体化石燃料を前記ディーゼルエンジンの燃料として供給して所定時間運転することを特徴とするバイオディーゼル発電装置の運転方法。
【請求項３】
請求項１または２に記載のバイオディーゼル発電装置の運転方法において、
前記熱交換器に、前記ディーゼルエンジンの冷却水または燃焼排ガスの一方あるいは両方を熱媒体として前記タンク内のパーム油を加熱することを特徴とするバイオディーゼル発電装置の運転方法。
【請求項４】
請求項１乃至３のいずれかに記載のバイオディーゼル発電装置の運転方法において、
前記ヒーターおよび熱交換器によって、前記タンク内のパーム油を７０℃以上に加熱して前記ディーゼルエンジンに供給することを特徴とするバイオディーゼル発電装置の運転方法。